(57)【要約】【課題】機器操作が煩雑になるのを抑制しつつ利用者の温冷感に基づく空調制御を適切に行うことが可能な空気調和機の制御装置および空気調和機の制御方法を提供する。【解決手段】この制御装置１００（空気調和機の制御装置）は、予測平均温冷感申告（ＰＭＶ値）が設定された空調環境２に対する利用者の「暑い」・「寒い」などの温冷感を受け付ける快適性操作パネル２０と、快適性操作パネル２０により受け付けられた利用者の温冷感に応じて予測平均温冷感申告に基づく制御量Ｐを時間Ｔａだけ一時的に補正した状態で空気調和機１の運転制御を行う空調機運転制御部１１とを備える。【選択図】図５
2014224619.tif 000002
【特許請求の範囲】
【請求項１】
所定の快適指標が設定された空調環境に対する利用者の温冷感を受け付ける快適性入力部と、
前記快適性入力部により受け付けられた前記利用者の温冷感に応じて前記快適指標に基づく制御量を所定時間一時的に補正した状態で空気調和機の運転制御を行う空気調和機制御部とを備える、空気調和機の制御装置。
【請求項２】
前記空気調和機の運転制御は、前記制御量が所定時間一時的に補正された状態で前記所定時間継続されるように構成されており、
前記空気調和機制御部は、前記所定時間経過後、前記所定時間一時的に補正された前記制御量から前記快適性入力部により前記利用者の温冷感が受け付けられる前の状態を基準とした前記制御量に変更して前記空気調和機の運転制御を行うように構成されている、請求項１に記載の空気調和機の制御装置。
【請求項３】
前記空気調和機制御部は、一時的に補正された前記制御量に基づく前記空気調和機の運転制御が継続中の状態で、前記空調環境に対する前記利用者の温冷感が前記快適性入力部により受け付けられた場合、受け付けられた温冷感に応じて前記制御量をさらに補正するとともに、さらに補正された前記制御量に基づいて前記空気調和機の運転制御を前記所定時間継続させる制御を行うように構成されている、請求項２に記載の空気調和機の制御装置。
【請求項４】
前記空気調和機制御部は、前記所定時間経過後、前記所定時間一時的に補正された前記制御量を前記快適性入力部により前記利用者の温冷感が受け付けられる前の状態を基準とした前記制御量に向けて段階的に戻しながら前記空気調和機の運転制御を行うように構成されている、請求項２または３に記載の空気調和機の制御装置。
【請求項５】
前記制御量は、前記快適性入力部により受け付けられた前記利用者の温冷感に応じた補正量に基づいて補正されるように構成されており、
前記利用者により前記補正量が予め設定可能に構成された設定部をさらに備える、請求項１〜４のいずれか１項に記載の空気調和機の制御装置。
【請求項６】
前記空気調和機の運転制御は、前記制御量が所定時間一時的に補正された状態で前記所定時間継続されるように構成されており、
前記設定部は、前記制御量に対する前記補正量の設定に加えて、前記所定時間を予め設定可能に構成されている、請求項５に記載の空気調和機の制御装置。
【請求項７】
所定の快適指標が設定された空調環境に対する利用者の温冷感を受け付けるステップと、
受け付けられた前記利用者の温冷感に応じて前記快適指標に基づく制御量を所定時間一時的に補正した状態で空気調和機の運転制御を行うステップとを備える、空気調和機の制御方法。
【発明の詳細な説明】
【技術分野】
【０００１】
この発明は、空気調和機の制御装置および空気調和機の制御方法に関し、特に、利用者の温冷感を受け付ける快適性入力部を備えた空気調和機の制御装置および空気調和機の制御方法に関する。
【背景技術】
【０００２】
従来、利用者の温冷感を受け付ける快適性入力部を備えた空気調和機が知られている（たとえば、特許文献１参照）。
【０００３】
上記特許文献１には、空気調和を行う冷暖房手段と、リモコン本体（快適性入力部）を介して受け付けられた空調環境に対する利用者（在室者）の暑い／寒いなどの感覚（温冷感）に基づいて冷暖房手段の運転制御を行う冷暖房制御手段（空気調和機の制御装置）とを備えた空気調和機が開示されている。この特許文献１に記載の空気調和機では、室内空間に設置されたセンサ類の検知結果に基づき現在の空調環境が有する快適度が常に把握されており、現在の快適度がその室内空間に設定された予測平均温冷感申告（ＰＭＶ（Ｐｒｅｄｉｃｔｅｄ  Ｍｅａｎ  Ｖｏｔｅ）値）における中立（快適）状態に向かうように冷暖房手段が自動運転制御されるように構成されている。
【０００４】
ここで、予測平均温冷感申告（ＰＭＶ値）とは、温熱環境（空調環境）の快適性を評価する１つの指標であり、国際標準化機構が定めた国際規格ＩＳＯ−７７３０に記載されている演算式により算出される指標値を示す。評価対象となる温熱環境が有するＰＭＶ値は、「−３」（寒い）〜「＋３」（暑い）までの数値として定量化され、中央の「０」（中立）は、暑くもなく寒くもない熱的に不快のない快適状態を示す。また、ＩＳＯの標準では、ＰＭＶ値＝０は、その温熱環境に対して約９５％の利用者（在室者）が快適さを感じる状態に対応している。したがって、理論上、ＰＭＶ値＝０が維持される室内空間においては、その場に居合わせた大多数（約９５％）の利用者がその空調環境に不快さを感じず満足した状態にあるとＩＳＯでは解釈されている。
【０００５】
上記特許文献１では、冷暖房手段の運転制御中に利用者（在室者）から受け付けられた「暑い」・「寒い」などの感覚（温冷感）に基づいて、室内空間の基準となる快適度（ＰＭＶ値）が補正されるように構成されている。したがって、リモコン本体を介して利用者の温冷感が受け付けられた場合には、冷暖房制御手段は、受け付けられた利用者の温冷感が反映された快適度を新たな基準として、この新たな快適度の基準における中立状態に向けて冷暖房手段の運転制御を継続するように構成されている。
【先行技術文献】
【特許文献】
【０００６】
【特許文献１】特開平７−８３４８０号公報
【発明の概要】
【発明が解決しようとする課題】
【０００７】
しかしながら、上記特許文献１に記載された空気調和機では、リモコン本体を介して受け付けられた利用者の温冷感に基づく快適度（ＰＭＶ値）を新たな基準として冷暖房手段の運転制御が継続されるため、たとえば、先の利用者が有する温冷感に基づく快適度の基準で空調環境が調整されていた状態で、先の利用者が室内空間から退出して先の利用者とは異なる温冷感を有する利用者がこの室内空間に入室した際、後の利用者が現在の空調環境に快適さを感じない場合には、後の利用者もリモコン本体を操作して自己の「暑い」・「寒い」などの温冷感を再指定する必要があると考えられる。また、このような利用者各人が温冷感を指定するためのリモコン操作は、利用者の入退室が繰り返されるたびに都度行われる場合も生じうる。このため、本来であれば大多数の利用者に快適さを提供することを目的として予測平均温冷感申告（ＰＭＶ値）に基づく自動運転制御が行われるにも関わらず、結果的に、利用者ごとに「暑い」・「寒い」の温冷感を指定するリモコン操作が必要になるので、その分、利用者の機器操作が煩雑になるという問題点がある。
【０００８】
この発明は、上記のような課題を解決するためになされたものであり、この発明の１つの目的は、機器操作が煩雑になるのを抑制しつつ利用者の温冷感に基づく空調制御を適切に行うことが可能な空気調和機の制御装置および空気調和機の制御方法を提供することである。
【課題を解決するための手段】
【０００９】
上記目的を達成するために、この発明の第１の局面による空気調和機の制御装置は、所定の快適指標が設定された空調環境に対する利用者の温冷感を受け付ける快適性入力部と、快適性入力部により受け付けられた利用者の温冷感に応じて快適指標に基づく制御量を所定時間一時的に補正した状態で空気調和機の運転制御を行う空気調和機制御部とを備える。
【００１０】
この発明の第１の局面による空気調和機の制御装置では、上記のように、快適性入力部により受け付けられた利用者の温冷感に応じて快適指標に基づく制御量を所定時間一時的に補正した状態で空気調和機の運転制御を行う空気調和機制御部を備えることによって、特定の利用者の温冷感に応じて補正された制御量に基づく空気調和機の運転制御は、一時的でかつ所定時間しか継続されないので、所定時間経過後はそれまでの補正された制御量に基づく運転制御が解除されるとともに空調環境に元々設定されていた快適指標に基づく空気調和機の運転制御を継続させることが可能となる。すなわち、利用者一個人が有する温冷感を加味した空気調和機の運転制御は一時的なものであり、その後は大多数の利用者が有する平均的な温冷感に基づく運転制御が継続されるので、大多数の利用者にとっては快適性入力部を介して温冷感を指定する必要はない。これにより、快適性入力部を介しての機器操作が煩雑になるのを抑制しつつ利用者の温冷感に基づく空調制御を適切に行うことができる。
【００１１】
上記第１の局面による空気調和機の制御装置において、好ましくは、空気調和機の運転制御は、制御量が所定時間一時的に補正された状態で所定時間継続されるように構成されており、空気調和機制御部は、所定時間経過後、所定時間一時的に補正された制御量から快適性入力部により利用者の温冷感が受け付けられる前の状態を基準とした制御量に変更して空気調和機の運転制御を行うように構成されている。このように構成すれば、所定時間経過後は、快適指標に基づく制御量が特定の利用者の温冷感に応じて補正された状態での空気調和機の運転制御が空気調和機制御部により完全に解除されるとともに、特定の利用者の温冷感が受け付けられる前の空調環境に元々設定されていた快適指標に基づく空気調和機の運転制御に容易に復帰させることができる。
【００１２】
上記空気調和機の運転制御が、制御量が所定時間一時的に補正された状態で所定時間継続される構成において、好ましくは、空気調和機制御部は、一時的に補正された制御量に基づく空気調和機の運転制御が継続中の状態で、空調環境に対する利用者の温冷感が快適性入力部により受け付けられた場合、受け付けられた温冷感に応じて制御量をさらに補正するとともに、さらに補正された制御量に基づいて空気調和機の運転制御を所定時間継続させる制御を行うように構成されている。このように構成すれば、特定の利用者の温冷感を繰り返し受け付けて空気調和機の運転制御に効果的に反映させることができる。そして、特定の利用者により最後に快適性入力部を介して受け付けられた機器操作から起算して所定時間経過後は、他の大多数の利用者が有する平均的な温冷感に基づく空気調和機の運転制御に復帰させることができる。これにより、空調環境に対する特定の利用者の快適性を損なうことなく、他の大多数の利用者に対する快適性入力部を介した機器操作の煩雑さを容易に抑制することができる。
【００１３】
上記空気調和機の運転制御が、制御量が所定時間一時的に補正された状態で所定時間継続される構成において、好ましくは、空気調和機制御部は、所定時間経過後、所定時間一時的に補正された制御量を快適性入力部により利用者の温冷感が受け付けられる前の状態を基準とした制御量に向けて段階的に戻しながら空気調和機の運転制御を行うように構成されている。このように構成すれば、所定時間経過後において、空調環境に元々設定されていた快適指標に基づく空気調和機の運転制御に向けて制御内容を急激に変更することが回避されるので、大多数の利用者が急激な運転制御の変更に起因した空調環境の変動に不快感を覚えるのを抑制することができる。
【００１４】
上記第１の局面による空気調和機の制御装置において、好ましくは、制御量は、快適性入力部により受け付けられた利用者の温冷感に応じた補正量に基づいて補正されるように構成されており、利用者により補正量が予め設定可能に構成された設定部をさらに備える。このように構成すれば、快適指標に基づく制御量に対する補正量を、設定部を介して予め所望の大きさに設定することができるので、利用者の温冷感を詳細に数値化することができる。したがって、予め設定された補正量に基づいて、快適性入力部により受け付けられる利用者の温冷感を空気調和機の運転制御に適切に反映させることができる。また、快適指標に基づく制御量に対する補正量を、設定部を介して予め所望の大きさに設定することができるので、快適性入力部に利用者の温冷感を入力する回数を減らすこともできる。これによっても、快適性入力部を介した機器操作の煩雑さを回避することができる。
【００１５】
上記設定部をさらに備える構成において、好ましくは、空気調和機の運転制御は、制御量が所定時間一時的に補正された状態で所定時間継続されるように構成されており、設定部は、制御量に対する補正量の設定に加えて、所定時間を予め設定可能に構成されている。このように構成すれば、特定の利用者の温冷感を反映した空気調和機の運転制御を一時的に継続する継続時間を、設定部を介して予め所望の長さに設定することができるので、大多数の利用者が有する平均的な温冷感に基づく空気調和機の運転制御時間に対する特定の利用者の温冷感を反映した空気調和機の運転制御時間の割合を適切に設定することができる。したがって、現在の空調環境が大多数の利用者にとって不快にならない（快適性を損ねない）範囲で、特定の利用者の快適性についても満足させることができる。
【００１６】
この発明の第２の局面による空気調和機の制御方法は、所定の快適指標が設定された空調環境に対する利用者の温冷感を受け付けるステップと、受け付けられた利用者の温冷感に応じて快適指標に基づく制御量を所定時間一時的に補正した状態で空気調和機の運転制御を行うステップとを備える。
【００１７】
この発明の第２の局面による空気調和機の制御方法では、上記のように、利用者の温冷感を受け付けるステップと、受け付けられた利用者の温冷感に応じて快適指標に基づく制御量を所定時間一時的に補正した状態で空気調和機の運転制御を行うステップとを備えることによって、特定の利用者の温冷感に応じて補正された制御量に基づく空気調和機の運転制御は、一時的でかつ所定時間しか継続されないので、所定時間経過後はそれまでの補正された制御量に基づく運転制御が解除されるとともに空調環境に元々設定されていた快適指標に基づく空気調和機の運転制御を継続させることが可能となる。すなわち、利用者一個人が有する温冷感を加味した空気調和機の運転制御は一時的なものであり、その後は大多数の利用者が有する平均的な温冷感に基づく運転制御が継続されるので、大多数の利用者にとっては快適性入力部を介して温冷感を指定する必要はない。これにより、快適性入力部を介しての機器操作が煩雑になるのを抑制しつつ利用者の温冷感に基づく空調制御を適切に行うことができる。
【発明の効果】
【００１８】
本発明によれば、上記のように、機器操作が煩雑になるのを抑制しつつ利用者の温冷感に基づく空調制御を適切に行うことができる。
【図面の簡単な説明】
【００１９】
【図１】本発明の一実施形態による制御装置の全体構成を示したブロック図である。
【図２】本発明の一実施形態おける制御装置により維持される空調環境に設定されているＰＭＶ値（予測平均温冷感申告）について説明するための概略図である。
【図３】本発明の一実施形態による制御装置に設けられた快適性操作パネルの画面構成を示した図である。
【図４】本発明の一実施形態による制御装置に設けられた補正量設定パネルの画面構成を示した図である。
【図５】本発明の一実施形態による制御装置による空気調和機の運転制御パターンを説明するための模式図である。
【図６】本発明の一実施形態による制御装置による空気調和機の運転制御パターンを説明するための模式図である。
【図７】本発明の一実施形態による制御装置による空気調和機の運転制御パターンを説明するための模式図である。
【図８】本発明の一実施形態による制御装置に設けられた空調機運転制御部により空気調和機が運転制御される際の処理フローを示した図である。
【発明を実施するための形態】
【００２０】
以下、本発明を具体化した実施形態を図面に基づいて説明する。
【００２１】
まず、図１〜図７を参照して、本発明の一実施形態による制御装置１００の構成について説明する。なお、制御装置１００は、本発明の「空気調和機の制御装置」の一例である。
【００２２】
本実施形態による制御装置１００は、図１に示すように、空気調和機１の運転制御を行う機能を有している。また、制御装置１００が所定の制御量Ｐを出力しながら空気調和機１の運転制御を行うことによって、オフィスビルや商業施設などの建築物内における空調環境２（２点鎖線で示す）が、ある決められた温度湿度状態（温湿度条件）に保たれるように構成されている。なお、制御装置１００は、空気調和機１とは別個な制御機器として構成されており、内部には空気調和機１の運転制御に関する制御量Ｐなどを演算（算出）して出力する空調機運転制御部１１を含む制御回路が組み込まれている。また、制御装置１００は、図示しない箱状の筐体に収納されており、筐体の正面部には、利用者または管理者が操作可能な操作部１４が設けられている。そして、制御装置１００は、空気調和機１に専用の通信回線１ａを介して接続されている。なお、空調機運転制御部１１は、本発明の「空気調和機制御部」の一例である。
【００２３】
空気調和機１は、いわゆる蒸気圧縮式の冷凍サイクル装置からなる。すなわち、空気調和機１は、図示しない圧縮機、四方弁、凝縮器（室外側熱交換器）、膨張弁および蒸発器（室内側熱交換器）が冷媒配管を介して一巡するように接続された冷凍サイクル装置として構成されている。そして、制御装置１００からの指令に基づいて四方弁が冷房サイクル側または暖房サイクル側に切り替えられることにより、空気調和機１が冷房運転または暖房運転で運転されるように構成されている。また、このような冷凍サイクル装置においては、二酸化炭素冷媒などの自然冷媒や、オゾン層破壊係数がゼロの代替フロン冷媒が使用可能に構成されている。
【００２４】
ここで、本実施形態では、国際標準化機構の定める国際規格ＩＳＯ−７７３０に記載された予測平均温冷感申告（ＰＭＶ値）に基づいて空調環境２の温度湿度状態が制御されるように構成されている。なお、予測平均温冷感申告（ＰＭＶ値）は、本発明の「所定の快適指標」の一例である。
【００２５】
具体的には、図２に示すように、空気調和が行われる空調環境２（図１参照）が有する快適性のレベルが、利用者の感覚（温冷感）としての「寒い」（＝ＰＭＶ値換算で「−３」に相当）から「涼しい」、「やや涼しい」および「中立（快適）」（＝ＰＭＶ値換算で「０」に相当）を経て、反対側の「やや暖かい」、「暖かい」および「暑い」（＝ＰＭＶ値換算で「＋３」に相当）までの数値範囲のいずれかの数値に該当する場合、制御装置１００（図１参照）は、現時点で把握されている快適性のレベルから空調環境２が常に「中立」の状態に向かうように空気調和機１（図１参照）を運転制御するように構成されている。
【００２６】
たとえば、制御装置１００側において現時点で把握されている快適性のレベルがＰＭＶ値換算で「−２」に対応する涼しい状態であった場合、制御装置１００は、現在のＰＭＶ値である「−２」の状態から中立に相当する「０」の状態へと空調環境２をシフトさせるような制御量Ｐ（図１参照）に基づいて空気調和機１の運転制御を行う。この場合、空気調和機１を暖房運転モードで運転して空調環境２の温度（または湿度）を上昇させるような空気調和制御が行われる。そして、空調環境２の温度（または湿度）が上昇されて、所定時間経過後の時点でのＰＭＶ値が「０」近傍の値として検出された場合、制御装置１００は、このＰＭＶ値≒０に対応する温度湿度状態を極力維持するようにして空気調和機１の運転制御を継続するように構成されている。
【００２７】
また、反対に、制御装置１００側において現時点で把握されている快適性のレベルがＰＭＶ値換算で「＋３」に対応する暑い状態であった場合、制御装置１００は、現在のＰＭＶ値である「＋３」の状態から中立に相当する「０」の状態へと空調環境２をシフトさせるような制御量Ｐ（図１参照）に基づいて空気調和機１の運転制御を行う。この場合、空気調和機１を冷房運転モードで運転して空調環境２の温度（または湿度）を低下させる空気調和制御が行われる。そして、空調環境２の温度（または湿度）が低下されて、所定時間経過後の時点でのＰＭＶ値が「０」近傍の値として検出された場合、制御装置１００は、このＰＭＶ値≒０に対応する温度湿度状態を極力維持するようにして空気調和機１の運転制御を継続するように構成されている。
【００２８】
なお、空調環境２（図１参照）には、この予測平均温冷感申告（ＰＭＶ値）に対応する温度湿度条件が、空気調和の基準値として予め設定されている。また、空気調和が行われる空調環境２のＰＭＶ値が中立（快適）を意味する「０」であることは、理論上、空調環境２に対して約９５％の利用者（在室者）が快適さを感じる状態に対応している。したがって、ＰＭＶ値≒０に保たれた空調環境２は、その場に居合わせた大多数（約９５％）の利用者が空調環境２に不快さを感じずにほぼ満足した状態にあると考えられている。
【００２９】
したがって、上記の制御手法を実現するために、制御装置１００は、図１に示すように、ＰＭＶ値算出部１０と、空調機運転制御部１１と、補正量算出部１２と、記憶部１３と、操作部１４とを備えている。また、空調環境２には、空調環境２の環境状態（温度湿度状態）を検出するための複数のセンサ類３（破線で囲む）が所定箇所に設けられている。ここで、センサ類３には、室内温度センサ４、室内湿度センサ５、室内輻射温度センサ６および気流センサ７などが含まれており、センサ類３により、空調環境２のＰＭＶ値を把握（算出）するための環境側の要素が取得されるように構成されている。また、空調環境２のＰＭＶ値を把握（算出）するための人間側の要素としては、利用者（在室者）の着衣量および活動量が挙げられる。この利用者の着衣量および活動量については、空調環境２の大きさ（広さ）や利用者数（平均値または定員数）および利用者の年齢層の情報などに基づき、別途、制御装置１００に対して設定されている。
【００３０】
ＰＭＶ値算出部１０は、センサ類３による空調環境２の環境状態の検出結果および利用者の着衣量および活動量（設定値）に基づいて、現在の空調環境２が有するＰＭＶ値を算出する役割を有している。なお、ＰＭＶ値の算出式は、国際規格ＩＳＯ−７７３０に記載されているので、ここでは説明を省略する。また、空調機運転制御部１１は、ＰＭＶ値算出部１０により算出された現在のＰＭＶ値に基づいて空気調和機１に対して運転制御を行う際の制御量Ｐを算出するとともに、算出された制御量Ｐに基づいて空気調和機１に対する運転指令（運転信号）を出力する役割を有している。なお、運転指令の内容としては、運転モード（冷房運転／暖房運転／送風運転／ドライ運転）、目標温度（乾球温度）、目標湿度（相対湿度）および送風機風量などが含まれる。また、操作部１４は、空調環境２の管理者（ユーザ）による所定の機器操作を受け付けることが可能に構成されており、操作部１４からの機器操作によっても空気調和機１が運転制御可能であるように構成されている。
【００３１】
ここで、本実施形態では、操作部１４は、快適性操作パネル２０と、補正量設定パネル３０とを含んでいる。快適性操作パネル２０は、図３に示すように、予測平均温冷感申告（ＰＭＶ値）に対応する温度湿度条件が空気調和の基準値として設定された空調環境２に対して、利用者（ユーザ）の個人的な「暑い」・「寒い」などの温冷感を受け付ける機能を有している。具体的には、表示部としての快適性操作パネル２０は操作画面２１を有しており、操作画面２１には、利用者の温冷感に基づき現在の空調環境２を評価するための温感ボタンとして、「暑い」という温冷感を入力する際に押下されるボタン画像２２と、「寒い」という温冷感を入力する際に押下されるボタン画像２３とが設けられている。また、快適性操作パネル２０（操作画面２１）はタッチパネル式であり、利用者がボタン画像２２またはボタン画像２３に指などを触れて軽く押下することにより、ボタン画像２２または２３が押下された旨が受け付けられるように構成されている。なお、快適性操作パネル２０は、本発明の「快適性入力部」の一例であり、補正量設定パネル３０は、本発明の「設定部」の一例である。
【００３２】
また、操作画面２１には、「ＯＮ」と記載されたボタン画像２４が設けられている。ボタン画像２４は、ボタン画像２２または２３の押下に基づく制御内容（後述するＰＭＶ値の補正量Ｑに基づく補正運転制御）を空気調和機１の運転制御に反映させる際に予め押下されるように構成されている。したがって、操作画面２１では、ボタン画像２４が予め押下された状態でボタン画像２２または２３が押下された場合に、ボタン画像２２または２３に対応した制御内容が空気調和機１の運転制御に反映されるように構成されている。また、操作画面２１には、「設定画面」と記載されたボタン画像２５が設けられており、ボタン画像２５が押下された場合に、操作画面２１から補正量設定パネル３０（図４参照）を構成する設定画面３１（図４参照）へと表示内容が切り替えられるように構成されている。
【００３３】
補正量設定パネル３０は、図４に示すように、設定画面３１を有している。設定画面３１は、前述のボタン画像２２または２３（図３参照）の押下に基づく制御内容（後述するＰＭＶ値の補正量Ｑおよび補正量Ｑが加味された補正運転制御の継続時間（時間Ｔａ））を予め設定することが可能に構成されている。
【００３４】
また、図１に示すように、補正量算出部１２は、快適性操作パネル２０を介して受け付けられた利用者の温冷感に基づいて、ＰＭＶ値算出部１０により算出された現在のＰＭＶ値に対する補正量Ｑを算出する役割を有している。また、記憶部１３には、補正量設定パネル３０を介して予め設定された制御内容（後述するＰＭＶ値の補正量Ｑおよび補正量Ｑが加味された補正運転制御の継続時間（時間Ｔａ））が記憶されている。
【００３５】
ここで、本実施形態では、空調環境２に入室していた利用者が快適性操作パネル２０におけるボタン画像２２（図３参照）またはボタン画像２３（図３参照）を押下した際、空気調和機１に対して次のような運転制御（補正運転制御）が一時的に行われるように構成されている。なお、以下に説明する運転制御（補正運転制御）が行われる前提として、空気調和機１に対する所定の運転制御が行われて空調環境２がＰＭＶ値≒０に対応する温度湿度状態に保たれていたとする。
【００３６】
利用者がボタン画像２２またはボタン画像２３（図３参照）を押下した場合、制御装置１００における空調機運転制御部１１は、この快適性操作パネル２０（図３参照）により受け付けられた利用者の「暑い」・「寒い」などの温冷感に応じて空調環境２に設定されている予測平均温冷感申告（ＰＭＶ値）に基づく制御量Ｐを時間Ｔａ（たとえば１０分間）だけ一時的に補正した状態で空気調和機１の補正運転制御を行うように構成されている。言い換えると、空調機運転制御部１１は、制御量Ｐを時間Ｔａだけ一時的に補正した状態で空気調和機１の補正運転制御を時間Ｔａだけ継続するとともに、時間Ｔａ経過後は、この時間Ｔａだけ一時的に補正された制御量Ｐから快適性操作パネル２０により利用者の温冷感が受け付けられる前の状態を基準とした制御量Ｐに変更して空気調和機１の運転制御を継続するように構成されている。なお、時間Ｔａは、本発明の「所定時間」の一例である。
【００３７】
したがって、特定の利用者の温冷感に応じて補正された新たな制御量Ｐに基づく空調機運転制御部１１による空気調和機１の運転制御（補正運転制御）は一時的でかつ時間Ｔａしか継続されないので、時間Ｔａ経過後は、それまで一時的に補正された新たな制御量Ｐに基づく補正運転制御が解除されるとともに空調環境２に対して元々設定されていたＰＭＶ値を基準とした空気調和機１の運転制御（通常運転制御）が継続されるように構成されている。
【００３８】
この点について、具体例を挙げて説明する。たとえば、空調環境２が現時点でＰＭＶ値≒０に対応する温度湿度状態に保たれていたとする。すなわち、この状態では、ＰＭＶ値≒０に対応する制御量Ｐに基づいて空気調和機１の通常運転制御が行われている。そして、空調環境２に利用者Ａ（図５参照）が入室した際、利用者Ａにとってこの空調環境２が暑く感じたとする。このため、利用者Ａが「暑い」という自己の温冷感を指定するためにボタン画像２２（図３参照）を２回分押下したとする。
【００３９】
この場合、図５に示すように、時間ｔ１において「暑い」を示すボタン画像２２（図３参照）を２回押下した場合に対応する補正量Ｑが、現在のＰＭＶ値（＝０）に加算される。本実施形態では、ボタン画像２２の１回の押下につき補正量Ｑが「＋０．２」加算されるように設定されているので、２回分の押下操作では補正量Ｑは現在のＰＭＶ値に対して「＋０．４」だけ加算される。これにより、利用者Ａがボタン画像２２を２回押下した時間ｔ１でのＰＭＶ値がそれまでの「０」から「＋０．４」へと変更される。したがって、制御装置１００では、現在の空調環境２のＰＭＶ値が「＋０．４」の状態にあると把握される。
【００４０】
これにより、補正量算出部１２（図１参照）においては、変更されたＰＭＶ値＝＋０．４に基づいて空気調和機１に対して運転制御を行う際の新たな制御量Ｐが算出されるとともに、算出された新たな制御量Ｐに基づいて空気調和機１に対する運転指令（運転信号）が空調機運転制御部１１から出力される。したがって、「暑い」を示すボタン画像２２が２回押下された場合には、制御装置１００は、補正がなされた現在（時間ｔ１）のＰＭＶ値である「＋０．４」の状態から中立である「０」の状態へと空調環境２をシフトさせるような新たな制御量Ｐのもとでの一時的な補正運転制御を空気調和機１に対して行う。この場合、空気調和機１を冷房運転モードに設定して空調環境２の温度（または湿度）を低下させる空気調和制御が時間Ｔａ（この場合１０分間）だけ行われる。このように、本実施形態では、ＰＭＶ値を「＋０．４」から「０」に向けて遷移させるのに必要な新たな制御量Ｐは、快適性操作パネル２０により受け付けられた利用者の温冷感に応じた補正値Ｑ（＝０．４）に基づいて補正されるように構成されている。
【００４１】
また、図５に示すように、時間ｔ１から時間Ｔａ（１０分間）が経過した時間ｔ２において、一時的に補正された新たな制御量Ｐに基づく補正運転制御が解除されるとともに、快適性操作パネル２０により利用者の温冷感が受け付けられる前の状態を基準とした制御量Ｐ（空調環境２に対して元々設定されていたＰＭＶ値を基準とした場合に時間ｔ２において取得されるＰＭＶ値に対応した制御量Ｐ）へと変更される。なお、時間Ｔａの期間中においては、補正運転制御の進行とともにＰＭＶ値も「＋０．４」から徐々に「０」へと近付けられていく。また、１０分後の時間ｔ２において補正運転制御が解除された際には、その時点での空調環境２が有するＰＭＶ値が補正されない状態で補正量算出部１２（図１参照）により算出される。したがって、時間ｔ２以降は、この元々のＰＭＶ値を基準とした制御量Ｐを開始点として中立状態に向けた空気調和機１の運転制御が継続される。また、時間ｔ２以降は、空調環境２に居合わせた大多数の利用者に対して快適性が確保されるような運転制御が行われる。
【００４２】
なお、上記とは反対に、空調環境２に利用者Ｂ（図５参照）が入室した際、利用者Ｂにとってこの空調環境２が寒く感じたとする。このため、利用者Ｂが「寒い」という自己の温冷感をボタン画像２３（図３参照）を２回分押下したとする。
【００４３】
この場合、図５に示すように、時間ｔ３において「寒い」を示すボタン画像２３を２回押下した場合に対応する補正量Ｑが、現在のＰＭＶ値（＝０）に加算される。本実施形態では、ボタン画像２３の１回の押下につき補正量Ｑが「−０．３」加算されるように設定されているので、２回分の押下操作では補正量Ｑは現在のＰＭＶ値に対して「−０．６」だけ加算される。これにより、利用者Ｂがボタン画像２３を２回押下した時点でのＰＭＶ値がそれまでの「０」から「−０．６」へと変更される。したがって、制御装置１００では、現在の空調環境２のＰＭＶ値が「−０．６」の状態にあると把握される。
【００４４】
これにより、補正量算出部１２（図１参照）においては、変更されたＰＭＶ値＝−０．６に基づいて空気調和機１に対して運転制御を行う際の新たな制御量Ｐを算出するとともに、算出された新たな制御量Ｐに基づいて空気調和機１に対する運転指令（運転信号）が空調機運転制御部１１から出力される。したがって、「寒い」を示すボタン画像２３（図３参照）が２回押下された場合には、制御装置１００は、補正がなされた現在（時間ｔ３）のＰＭＶ値である「−０．６」の状態から中立である「０」の状態へと空調環境２をシフトさせるような新たな制御量Ｐのもとでの一時的な補正運転制御を空気調和機１に対して行う。この場合、空気調和機１を暖房運転モードに設定して空調環境２の温度（または湿度）を上昇させる空気調和制御が時間Ｔａ（この場合１５分間）だけ行われる。すなわち、本実施形態では、ＰＭＶ値を「−０．６」から「０」に向けて遷移させるのに必要な新たな制御量Ｐは、快適性操作パネル２０により受け付けられた利用者の温冷感に応じた補正値Ｑ（＝−０．６）に基づいて補正されるように構成されている。
【００４５】
また、図５に示すように、時間ｔ３から時間Ｔａ（１５分間）が経過した時間ｔ４において、一時的に補正された新たな制御量Ｐに基づく補正運転制御が解除されるとともに、快適性操作パネル２０により利用者の温冷感が受け付けられる前の状態を基準とした制御量Ｐ（空調環境２に対して元々設定されていたＰＭＶ値を基準とした場合に時間ｔ４において取得されるＰＭＶ値に対応した制御量Ｐ）へと変更される。なお、時間Ｔａの期間中においては、補正運転制御の進行とともにＰＭＶ値も「−０．６」から徐々に「０」へと近付けられていく。また、１０分後の時間ｔ４において補正運転制御が解除された際には、その時点での空調環境２が有するＰＭＶ値が補正されない状態で補正量算出部１２（図１参照）により算出される。したがって、時間ｔ４以降は、この元々のＰＭＶ値を基準とした制御量Ｐを開始点として中立状態に向けた空気調和機１の運転制御が継続される。また、時間ｔ４以降は、空調環境２に居合わせた大多数の利用者に対して快適性が確保されるような運転制御が行われる。
【００４６】
このように、制御装置１００による空気調和機１の運転制御においては、利用者の温冷感に関する個人差に応じて空調環境２の温度湿度状態を一時的に各人の快適性（温冷感）に合わせるような空気調和制御が行われる。
【００４７】
また、本実施形態では、一時的に補正された制御量Ｐに基づく空気調和機１の補正運転制御が時間Ｔａ（たとえば最初の１０分間）の範囲内で継続されている状態で、空調環境２に対する利用者の「暑い」・「寒い」などの温冷感が快適性操作パネル２０におけるボタン画像２２またはボタン画像２３（図３参照）により再び受け付けられた場合、空調機運転制御部１１は、受け付けられた温冷感に応じて現在出力中の制御量Ｐをさらに補正するとともに、さらに補正された新たな制御量Ｐに基づいて空気調和機１の補正運転制御を新たな時間Ｔａ（たとえば１０分間）だけ継続させるように構成されている。
【００４８】
具体的には、図６に示すように、利用者Ｃにより時間ｔ５において「暑い」を示すボタン画像２２（図３参照）が１回押下されたことに伴う補正量Ｑを加味した補正運転制御が開始された後、利用者Ｃが依然として空調環境２に暑さを感じた場合に時間Ｔａ未満（１０分未満）の時間ｔ６において利用者Ｃによりボタン画像２２が再び１回押下される。そして、さらに、時間ｔ６から起算して時間Ｔａ未満である時間ｔ７において利用者Ｃによりボタン画像２２が再び１回押下されたとする。このような場合、最後にボタン画像２２が押下された時間ｔ７を起点として時間Ｔａ（この場合１０分間）だけ補正運転制御が継続されるように構成されている。そして、時間ｔ７から１０分が経過した時間ｔ８において、この補正運転制御が解除されるように構成されている。また、時間ｔ８以降は、空調環境２に居合わせた大多数の利用者に対して快適性が確保されるような運転制御が行われる。このように、制御装置１００では、利用者の温冷感を繰り返し受け付けて空気調和機１の運転制御に利用者の温冷感を効果的に反映させる工夫が図られている。
【００４９】
なお、制御装置１００では、図４に示すように、快適性操作パネル２０による利用者の「暑い」・「寒い」などの温冷感の入力操作にあたって、ボタン画像２２およびボタン画像２３の押下に伴うＰＭＶ値の補正量Ｑおよび補正量Ｑが加味された補正運転制御の継続時間（時間Ｔａ）の各々が予め設定可能に構成されている。すなわち、操作画面２１における「設定」と記載されたボタン画像２５（図３参照）を押下して図３に示した操作画面２１（快適性操作パネル２０）の状態から図４に示した設定画面３１（補正量設定パネル３０）へと操作部１４の表示状態を切り替えることによって、設定画面３１において、ＰＭＶ値の補正量Ｑおよび補正運転制御の継続時間としての時間Ｔａが、それぞれ、管理者（ユーザ）側で設定されるように構成されている。
【００５０】
たとえば、図４に示す例では、暑く感じるときに「暑い」を示すボタン画像２２（図３参照）が１回押下された際に、ＰＭＶ値が補正量Ｑとして「＋０．２」だけ変更され、この状態で時間Ｔａが「１０分間」に指定されて補正運転制御が行われる設定内容になっている。また、寒く感じるときに「寒い」を示すボタン画像２３（図３参照）が１回押下された際に、ＰＭＶ値が補正量Ｑとして「−０．３」だけ変更され、この状態で時間Ｔａが「１５分間」に指定されて補正運転制御が行われる設定内容になっている。
【００５１】
なお、設定画面３１には、「ＯＫ」と記載されたボタン画像３２と、「戻る」と記載されたボタン画像３３とが設けられている。ボタン画像３２は、ＰＭＶ値の補正量Ｑおよび補正運転制御の継続時間（時間Ｔａ）に関する設定内容を空気調和機１の運転制御に反映させる際に押下されるように構成されている。したがって、操作画面３１では、ＰＭＶ値の補正量Ｑおよび補正運転制御の継続時間（時間Ｔａ）が入力された状態でボタン画像３２が押下された場合に、各設定内容が記憶部１３（図１参照）に記憶されるように構成されている。また、ボタン画像３３が押下された場合に、操作画面３１から快適性操作パネル２０（図３参照）を構成する操作画面２１（図３参照）へと表示内容が切り替えられるように構成されている。
【００５２】
また、本実施形態では、時間Ｔａ経過後に補正運転制御が行われた状態から補正運転制御が行われない状態（通常運転制御）に制御内容が戻される際にも以下のような制御手法が適用されるように構成されている。
【００５３】
すなわち、空調機運転制御部１１は、時間Ｔａ経過後、時間Ｔａだけ一時的に補正された制御量Ｐを、快適性操作パネル２０により利用者の温冷感が受け付けられる前の状態を基準とした制御量Ｐに向けて段階的に戻しながら空気調和機１の運転制御を行うように構成されている。また、この際、１回または複数回にわたってボタン画像２２または２３が押下された際の補正量Ｑ（累積値）の大きさに応じて、補正運転制御における制御量Ｐを、利用者の温冷感が受け付けられる前の状態を基準とした制御量Ｐに向けて段階的に戻しながら空気調和機１の運転制御が行われるように構成されている。
【００５４】
たとえば、空調環境２に利用者Ｄ（図７参照）が入室した際、利用者Ｄにとってこの空調環境２が非常に暑く感じたとする。このため、利用者Ｄが「暑い」という自己の温冷感を指定するためにボタン画像２２（図３参照）を１０回押下したとする。
【００５５】
この場合、図７に示すように、時間ｔ９において「暑い」を示すボタン画像２２を１０回押下した場合に対応する補正量Ｑが、現在のＰＭＶ値（＝０）に加算される。この場合、補正量Ｑは現在のＰＭＶ値に対して「＋２．０（＝０．２×１０）」が加算される。したがって、空調機運転制御部１１においては、時間ｔ９において変更されたＰＭＶ値＝＋２．０から中立である「０」の状態へと空調環境２をシフトさせるような新たな制御量Ｐのもとでの補正運転制御を空気調和機１に対して時間Ｔａ（１０分間）だけ行う。この場合、空気調和機１を冷房運転モードで運転して空調環境２の温度（または湿度）を低下させるような空気調和制御が行われる。ただし、先の利用者Ａ（図５参照）がボタン画像２２を２回押下した場合の冷房運転よりもより強力に空調環境２を冷却するような補正運転制御が時間Ｔａだけ行われる。なお、時間Ｔａの期間中においては、補正運転制御の進行とともにＰＭＶ値も徐々に「０」へと近付けられていく。
【００５６】
そして、時間ｔ９から時間Ｔａ（１０分間）が経過した時間ｔ１０において、一時的に補正された新たな制御量Ｐに基づく補正運転制御が解除される。ここで、本実施形態では、補正が加味された新たな制御量Ｐに基づく補正運転制御のもとでの冷房運転を即座に停止することは行わない。すなわち、「＋２．０」から「０」へと遷移するように空調環境２を強力に冷却していた状態から、この冷却する程度を徐々に（段階的に）緩和するような運転制御が時間ｔ１０から時間ｔ１１までの期間で行われる。たとえば、空気調和機１からの吹き出し空気温度を段階的に緩めたり、風量を段階的に減少させたりする制御が行われる。これにより、利用者Ｄにとっては、時間Ｔａ経過後にそれまで快適に冷えていた空調環境２の温度（冷えた状態）が急激に緩むような感覚を味わうことが回避される。また、空調環境２は、このような冷え具合の程度を段階的に低下（緩和）させるような空気調和機１の運転制御に基づいて、本来設定されている中立状態（ＰＭＶ値≒０）に対応する温度湿度状態に戻されるように構成されている。
【００５７】
これにより、補正量Ｑが相対的に大きい場合（たとえば、ボタン画像２２または２３が６回以上の複数回にわたって押下された場合）には、特定の利用者Ｄの温冷感を反映した時間Ｔａにわたる空気調和機１の補正運転制御から、元々の基準値として設定されていたＰＭＶ値（予測平均温冷感申告）に基づく通常運転制御へと制御内容を段階的に戻すことが可能となる。その一方で、別な利用者Ａ〜Ｃ（図５および図６参照）による温冷感に対応する補正量Ｑが相対的に小さい場合（たとえば、ボタン画像２２または２３が１回〜５回程度しか押下されていない場合）には、時間Ｔａ経過後に制御内容について時間をかけて段階的に戻すことなく空調環境２に元々設定されていたＰＭＶ値（予測平均温冷感申告）に基づく通常運転制御に即座に切り替えることが可能であるように構成されている。また、図７においても、時間ｔ１１以降は、空調環境２に居合わせた大多数の利用者に対して快適性が確保されるような運転制御が行われる。
【００５８】
なお、図６および図７では、利用者ＣおよびＤが「暑い」を示すボタン画像２２（図３参照）を間欠的にかまたは連続的に押下した場合のその後の制御装置１００による空気調和機１の運転制御内容のみを示したが、利用者が「寒い」を示すボタン画像２３（図３参照）を間欠的にかまたは連続的に押下した場合のその後の制御装置１００による空気調和機１の運転制御内容についても、マイナス値を有する補正量Ｑが都度ＰＭＶ値に加算されて補正運転制御が行われるとともに、補正運転制御の解除後は、補正量Ｑの大きさに応じて加温（暖房）する程度を徐々に（段階的に）緩和するような運転制御が行われる。また、同じ利用者がボタン画像２２および２３を交えて押下した場合にも、各々の温冷感に応じた正の値または負の値の補正量Ｑが、温冷感を入力したタイミングでその時点でのＰＭＶ値に加算される。本実施形態による制御装置１００は、上記のように構成されている。
【００５９】
次に、図１〜図３および図８を参照して、本実施形態による制御装置１００によって空気調和機１の運転制御が行われる際の空調機運転制御部１１の処理フローについて説明する。なお、以下では、空気調和機１（図１参照）が空調環境２（図１参照）に設定された予測平均温冷感申告（ＰＭＶ値）に基づいて運転制御されている際に、利用者の温冷感が受け付けられた場合の空調機運転制御部１１の処理動作について説明を行う。
【００６０】
図８に示すように、まず、ステップＳ１では、空調機運転制御部１１（図１参照）により、快適性操作パネル２０（図３参照）における温感ボタンとしてのボタン画像２２（図３参照）またはボタン画像２３（図３参照）が利用者（ユーザ）によって押下されたか否かが判断されるとともに、ボタン画像２２またはボタン画像２３が利用者によって押下されたと判断されるまで、ステップＳ１の判断が繰り返される。
【００６１】
ステップＳ１において、ボタン画像２２またはボタン画像２３が利用者によって押下されたと判断された場合、ステップＳ２では、空調機運転制御部１１により、ＰＭＶ値算出部１０（図１参照）により現時点（ボタン画像２２またはボタン画像２３が利用者によって押下された時点）で把握されている空調環境２の快適性のレベル（ＰＭＶ値（図２参照））がＰＭＶ値算出部１０から取得される。
【００６２】
そして、ステップＳ３では、ステップＳ２でＰＭＶ値算出部１０から取得された現在の空調環境２のＰＭＶ値に対して、ステップＳ１で押下されたボタン画像２２またはボタン画像２３に対応するＰＭＶ値の補正量Ｑが加算される。たとえば、ステップＳ２において取得されたＰＭＶ値が「０」であり、利用者の温冷感としての「暑い」を示すボタン画像２２が３回押下された場合に対応する補正量Ｑが「＋０．６（＝０．２×３）」である場合には、ＰＭＶ値は、現在の「０」から「＋０．６」へと変更される。また、たとえば、ステップＳ２において取得されたＰＭＶ値が「０」であり、利用者の温冷感としての「暑い」を示すボタン画像２３が６回押下された場合に対応する補正量Ｑが「−１．８（＝−０．３×６）」である場合には、ＰＭＶ値は、現在の「０」から「−１．８」へと変更される。
【００６３】
そして、ステップＳ４では、空調機運転制御部１１の指令に基づき、補正量算出部１２において、変更されたＰＭＶ値に基づく空気調和機１（図１参照）に対する新たな制御量Ｐが算出される。その後、ステップＳ５では、ステップＳ４で算出された新たな制御量Ｐに基づいて空気調和機１に対する補正運転制御が開始される。
【００６４】
そして、ステップＳ６では、空調機運転制御部１１により、時間Ｔａ（たとえば１０分間）が経過したか否かが判断されるとともに、時間Ｔａが経過したと判断されるまでこの判断が繰り返される。すなわち、本実施形態では、ステップＳ６の判断が繰り返される間、空調機運転制御部１１は、快適性操作パネル２０（図３参照）により受け付けられた利用者の「暑い」または「寒い」などの温冷感に応じて空調環境２に設定されている予測平均温冷感申告（ＰＭＶ値）に基づく制御量Ｐを時間Ｔａ（１０分間）だけ一時的に補正した状態で空気調和機１の補正運転制御を継続することになる。
【００６５】
また、ステップＳ６において、空調機運転制御部１１により時間Ｔａ（１０分間）が経過したと判断された場合、ステップＳ７では、空調機運転制御部１１により、ＰＭＶ値算出部１０（図１参照）により現時点（ステップＳ６にて時間Ｔａだけ補正運転制御が行われた直後の時点）で把握されている空調環境２（図１参照）の快適性のレベル（ＰＭＶ値）がＰＭＶ値算出部１０から再び取得される。
【００６６】
そして、ステップＳ８では、空調機運転制御部１１の指令に基づき、補正量算出部１２において、再取得されたＰＭＶ値に基づく空気調和機１に対する新たな制御量Ｐが算出（再計算）される。その後、ステップＳ９では、ステップＳ８で算出（再計算）された新たな制御量Ｐに基づいて空気調和機１に対する通常運転制御が行われる。
【００６７】
すなわち、本実施形態では、時間Ｔａ経過後は、この時間Ｔａだけ一時的に補正された制御量Ｐから快適性操作パネル２０により利用者の温冷感が受け付けられる前の状態を基準とした新たな制御量Ｐに変更して空気調和機１の運転制御が継続されるとともに、本制御フローが終了される。なお、ステップＳ７〜Ｓ９の処理においては、元々のＰＭＶ値を基準とした通常運転制御への運転制御の戻し方は、ステップＳ３〜Ｓ５において補正運転制御に加味された補正量Ｑの大きさに応じて異ならせるような制御処理を含んでいる。すなわち、補正量Ｑが相対的に大きい場合には補正運転制御から通常運転制御へと制御内容を段階的に戻す処理が行われる。また、補正量Ｑが相対的に小さい場合には補正運転制御から通常運転制御へと制御内容を段階的に戻さない処理が行われる。また、本制御フロー終了後は、所定の制御周期が経過した後に、再び、図８に示した本制御フローが実行される。
【００６８】
本実施形態では、上記のように、快適性操作パネル２０におけるボタン画像２２またはボタン画像２３により受け付けられた利用者の「暑い」または「寒い」などの温冷感に応じて、空調環境２に予め設定されている予測平均温冷感申告（ＰＭＶ値）に基づく制御量Ｐを時間Ｔａだけ一時的に補正した状態で空気調和機１の運転制御を行う空調機運転制御部１１を備える。これにより、特定の利用者Ａ〜Ｄの温冷感に応じて補正された制御量Ｐに基づく空気調和機１の運転制御（補正運転制御）は、一時的でかつ時間Ｔａしか継続されないので、時間Ｔａ経過後はそれまでの補正された制御量Ｐに基づく運転制御が解除されるとともに空調環境２に元々設定されていたＰＭＶ値（予測平均温冷感申告）に基づく空気調和機１の運転制御（通常運転制御）を継続させることが可能となる。すなわち、利用者一個人が有する温冷感を加味した空気調和機１の運転制御は一時的なものであり、その後は大多数の利用者が有する平均的な温冷感（予測平均温冷感申告）に基づく運転制御が継続されるので、大多数の利用者にとっては快適性操作パネル２０を介して温冷感を指定する必要はない。これにより、快適性操作パネル２０の操作が煩雑になるのを抑制しつつ、空調環境２に対して利用者の温冷感に基づく空調制御を適切に行うことができる。
【００６９】
また、本実施形態では、制御量Ｐが時間Ｔａだけ一時的に補正された状態で時間Ｔａ継続されるように空気調和機１の運転制御（補正運転制御）を構成し、時間Ｔａ経過後、時間Ｔａだけ一時的に補正された制御量Ｐから快適性操作パネル２０（ボタン画像２２またはボタン画像２３）により利用者の温冷感が受け付けられる前の状態を基準とした制御量Ｐに変更して空気調和機１の運転制御（通常運転制御）を行うように空調機運転制御部１１を構成する。これにより、時間Ｔａ経過後は、ＰＭＶ値（予測平均温冷感申告）に基づく制御量Ｐが特定の利用者Ａ〜Ｄの温冷感に応じて補正された状態での空気調和機１の運転制御が空調機運転制御部１１により完全に解除されるとともに、特定の利用者の温冷感が受け付けられる前の空調環境２に元々設定されていたＰＭＶ値（予測平均温冷感申告）に基づく空気調和機１の運転制御に容易に復帰させることができる。
【００７０】
また、本実施形態では、一時的に補正された制御量Ｐに基づく空気調和機１の運転制御が継続中の状態で、空調環境２に対する利用者Ｃの温冷感が快適性操作パネル２０（ボタン画像２２またはボタン画像２３）により繰り返し受け付けられた場合、受け付けられた温冷感に応じて制御量Ｐをさらに補正するとともに、さらに補正された新たな制御量Ｐに基づいて空気調和機１の運転制御を時間Ｔａだけ継続させる制御を行うように空調機運転制御部１１を構成する。これにより、特定の利用者Ｃの温冷感を繰り返し受け付けて空気調和機１の運転制御に効果的に反映させることができる。そして、特定の利用者Ｃにより最後に快適性操作パネル２０を介して受け付けられた機器操作から起算して時間Ｔａ経過後は、他の大多数の利用者が有する平均的な温冷感に基づく空気調和機１の運転制御に復帰させることができる。したがって、空調環境２に対する特定の利用者Ｃの快適性を損なうことなく、他の大多数の利用者に対する快適性操作パネル２０の操作の煩雑さを容易に抑制することができる。
【００７１】
また、本実施形態では、時間Ｔａ経過後、時間Ｔａ一時的に補正された制御量Ｐを快適性操作パネル２０により利用者の温冷感が受け付けられる前の状態を基準とした制御量Ｐに向けて段階的に戻しながら空気調和機１の運転制御を行うように空調機運転制御部１１を構成する。これにより、時間Ｔａ経過後において、空調環境２に元々設定されていたＰＭＶ値（予測平均温冷感申告）に基づく空気調和機１の運転制御に向けて制御内容を急激に変更することが回避されるので、利用者Ｄ以外の大多数の利用者が急激な運転制御の変更に起因した空調環境２の変動に不快感を覚えるのを抑制することができる。
【００７２】
また、本実施形態では、補正運転制御における新たな制御量Ｐは、快適性操作パネル２０により受け付けられた利用者Ａ〜Ｄの温冷感に応じた補正値Ｑに基づいて補正されるように構成されている。そして、補正量Ｑの大きさ（「暑い」または「寒い」の温冷感を受け付けた回数）に応じて、新たな制御量Ｐを段階的に戻しながら空気調和機１の運転制御を行うように空調機運転制御部１１を構成する。これにより、補正量Ｑ（温冷感を受け付けた回数）が相対的に大きい場合には、特定の利用者Ａ〜Ｄの温冷感を反映した空気調和機１の運転制御（補正運転制御）から空調環境２に元々設定されていたＰＭＶ値（予測平均温冷感申告）に基づく運転制御へと制御内容を段階的に戻すことができる。また、補正量Ｑ（「暑い」または「寒い」の温冷感を受け付けた回数）が相対的に小さい場合には、制御内容について時間をかけて段階的に戻すことなく空調環境２に元々設定されていたＰＭＶ値（予測平均温冷感申告）に基づく運転制御（通常運転制御）に即座に切り替えることができるので、他の大多数の利用者にとって快適な空調環境２を迅速に提供することができる。
【００７３】
また、本実施形態では、補正運転制御における新たな制御量Ｐは、快適性操作パネル２０により受け付けられた利用者の温冷感に応じた補正値Ｑに基づいて補正されるように構成されている。そして、利用者（管理者）により補正量Ｑが予め設定可能に構成された補正量設定パネル３０を備える。これにより、ＰＭＶ値（予測平均温冷感申告）に基づく制御量Ｐに対する補正量Ｑを、補正量設定パネル３０を介して予め所望の大きさに設定することができるので、利用者の温冷感を詳細に数値化することができる。したがって、予め設定された補正量Ｑに基づいて、快適性操作パネル２０により受け付けられる利用者の温冷感を空気調和機１の運転制御に適切に反映させることができる。また、ＰＭＶ値（予測平均温冷感申告）に基づく制御量Ｐに対する補正量Ｑを、補正量設定パネル３０を介して予め所望の大きさに設定することができるので、快適性操作パネル２０に利用者の温冷感を入力する回数を減らすこともできる。これによっても、快適性操作パネル２０の操作の煩雑さを回避することができる。
【００７４】
また、本実施形態では、制御量Ｐに対する補正量Ｑの設定に加えて、時間Ｔａを予め設定可能であるように補正量設定パネル３０を構成する。これにより、特定の利用者Ａ〜Ｄの温冷感を反映した空気調和機１の運転制御（補正運転制御）を一時的に継続する継続時間（時間Ｔａ）を、補正量設定パネル３０を介して予め所望の長さに設定することができるので、大多数の利用者が有する平均的な温冷感に基づく空気調和機１の運転制御時間に対する特定の利用者の温冷感を反映した空気調和機１の運転制御時間の割合を適切に設定することができる。したがって、現在の空調環境２が大多数の利用者にとって不快にならない（快適性を損ねない）範囲で、特定の利用者Ａ〜Ｄの快適性についても満足させることができる。
【００７５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７６】
たとえば、上記実施形態では、ボタン画像２２を押下して「暑い」という温冷感を入力した場合の制御量Ｐを１０分だけ一時的に補正するとともに、ボタン画像２３を押下して「寒い」という温冷感を入力した場合の制御量Ｐを１５分だけ一時的に補正するように構成した例について示したが、本発明はこれに限られない。本発明の「所定時間」は、上記した１０分や１５分以外であってもよい。また、「暑い」場合と「寒い」場合とで本発明の「所定時間」を異ならせた例について示したが、本発明はこれに限られない。本発明では、「暑い」場合と「寒い」場合とで同じ時間Ｔａにより制御量Ｐを一時的に補正するように構成してもよい。
【００７７】
また、上記実施形態では、ボタン画像２２を押下して「暑い」という温冷感を入力した場合のＰＭＶ値の補正量Ｑを「＋０．２」に設定するとともに、ボタン画像２３を押下して「寒い」という温冷感を入力した場合のＰＭＶ値の補正量Ｑを「−０．３」に設定するように構成した例について示したが、本発明はこれに限られない。すなわち、補正量Ｑは、上記した「暑い」という温冷感を入力した場合の「＋０．２」や、「寒い」という温冷感を入力した場合の「−０．３」以外であってもよい。
【００７８】
また、上記実施形態では、時間Ｔａ経過後、時間Ｔａだけ一時的に補正された制御量Ｐを快適性操作パネル２０により利用者の温冷感が受け付けられる前の状態に段階的に戻しながら空気調和機１の運転制御を行うように空調機運転制御部１１を構成した例について示したが、本発明はこれに限られない。本発明では、快適性操作パネル２０の操作回数（ボタン画像２２または２３の押下回数）に関係なく、時間Ｔａだけ一時的に補正された制御量Ｐを、時間Ｔａ経過後に快適性操作パネル２０により利用者の温冷感が受け付けられる前の状態を基準とした制御量Ｐに直接的にかつ短時間で戻すように構成してもよい。
【００７９】
また、上記実施形態では、快適性操作パネル２０をタッチパネル式の操作画面２１を用いて構成した例について示したが、本発明はこれに限られない。本発明では、利用者（ユーザ）の個人的な「暑い」・「寒い」などの温冷感を入力するための物理的な温感ボタンを有するリモコン装置を用いて、本発明の「快適性入力部」を構成してもよい。また、この場合、リモコン装置には、温冷感を受け付ける快適性入力用領域と、温感ボタンに対応するＰＭＶ値の補正量Ｑや補正量Ｑが加味された補正運転制御の継続時間（時間Ｔａ）を予め設定可能な設定用領域とを設けるようにすればよい。
【００８０】
また、上記実施形態では、蒸気圧縮式の冷凍サイクル装置を使用して空気調和機１を構成した例について示したが、本発明はこれに限られない。本発明では、空気調和機１は、吸収式冷凍機であってもよい。
【００８１】
また、上記実施形態では、ボタン画像２２またはボタン画像２３を押下することによって利用者の「暑い」または「寒い」などの温冷感を受け付けるように快適性操作パネル２０を構成した例について示したが、本発明はこれに限られない。たとえば、快適性操作パネル２０にマイクロフォンを設けておき、制御装置１００側で利用者の「暑い」、「暖かい」、「涼しい」または「寒い」などの発声内容を音声認識する方法を利用して、利用者の温冷感を受け付けるように構成してもよい。また、たとえば、快適性操作パネル２０にカメラ（撮像部）を設けておき、利用者の身振り手振り（ジェスチャー）を画像認識した結果に基づいて利用者の温冷感を判別可能に受け付けるように構成してもよい。また、センサ類３のひとつとして空調環境２にカメラ（撮像部）を設置しておき、利用者の暑さ寒さに関連する行動や身振り手振りを画像認識した結果に基づいて利用者の温冷感を判別可能に受け付けるように構成してもよい。また、マイクロフォンやカメラなどを組み合わせて用いることによって利用者の温冷感を受け付けるように本発明の「快適性入力部」を構成してもよい。
【００８２】
また、上記実施形態では、オフィスビルや商業施設などの建築物内における空調環境２に対して空気調和機１による空気調和を行う場合に本発明を適用した例について示したが、本発明はこれに限られない。仮設置型の空間や、移動するバスや列車などの輸送機器における客室内に作られる空調環境２に対して、本発明を適用してもよい。
【００８３】
また、上記実施形態では、説明の便宜上、空調機運転制御部１１の空気調和機１の運転に関する制御処理を処理フローに沿って順番に処理を行うフロー駆動型のフローチャートを用いて説明したが、本発明はこれに限られない。本発明では、空調機運転制御部１１の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８４】
１  空気調和機
２  空調環境
３  センサ類
１０  ＰＭＶ値算出部
１１  空調機運転制御部（空気調和機制御部）
１２  補正量算出部
１４  操作部
２０  快適性操作パネル（快適性入力部）
２１  操作画面
２２、２３  ボタン画像
３０  補正量設定パネル（設定部）
３１  設定画面
１００  制御装置（空気調和機の制御装置）
【図１】
2014224619.tif 000003
【図２】
2014224619.tif 000004
【図３】
2014224619.tif 000005
【図４】
2014224619.tif 000006
【図５】
2014224619.tif 000007
【図６】
2014224619.tif 000008
【図７】
2014224619.tif 000009
【図８】
2014224619.tif 000010